(57)【要約】【課題】  エレベータかごの移動に伴って移動するテールコードへの取付けが簡単にでき、テールコードの損傷、断線を防止する。【解決手段】  半円環状の一対のリング片３０ａ，３０ｂと、リング片３０ａ，３０ｂの一端同士を回動可能に支持する軸部３８と、一方のリング片３０ａの他端に設けられたロック爪３４と、他方のリング片３０ｂの他端に設けられ、ロック爪３４を係止する係止穴３６とを備え、ロック爪３４と係止穴３６とが係止されたロック状態では、テールコード２０の外径よりも大きく、テールコード２０が遊動可能な空洞部４２を有する円環状に形成され、テールコード２０への取付けに際しては、軸部３８を回動支点として他端を開口させてテールコードを空洞部４２に挿入させ、ロック爪３４と係止穴３６とを係止させてロック状態にする。【選択図】図２
2018140848.tif 000002
【特許請求の範囲】
【請求項１】
エレベータのかご下に設けられ、最下部がＵ字状に垂下され、かつ、前記エレベータのかごと共に上下動するテールコードに移動可能に取り付けられる円環状の据付工事用治具であって、
半円環状の一対のリング片と、
前記リング片の一端同士を回動可能に支持する軸部と、
一方の前記リング片の他端に設けられたロック爪と、
他方の前記リング片の他端に設けられ、前記ロック爪を係止する係止穴とを備え、
前記ロック爪と前記係止穴とが係止されたロック状態では、前記テールコードの外径よりも大きく、前記テールコードが遊動可能な空洞部を有する円環状に形成され、
前記テールコードへの取付けに際しては、前記軸部を回動支点として他端を開口させて前記テールコードを前記空洞部に挿入させ、前記ロック爪と前記係止穴とを係止させてロック状態にすることを特徴とする据付工事用治具。
【請求項２】
前記円環状の外周部には、正面視で、半円の花びらが連続した花弁状凸部が形成され、かつ、側断面は、丸頭状に形成されていることを特徴とする請求項１に記載の据付工事用治具。
【請求項３】
前記テールコードが挿入され、前記空洞部を構成する内周部の断面は、滑らかな傾斜を持つ山形に形成されていることを特徴とする請求項２に記載の据付工事用治具。
【請求項４】
前記花弁状凸部の前記外周部から前記内周部に至る面には、凹部が形成されていることを特徴とする請求項３に記載の据付工事用治具。
【請求項５】
前記外周部から前記内周部に至る面は、前記外周部から内周部にいくに連れて皿底状に傾斜する形状を有することを特徴とする請求項３又は４に記載の据付工事用治具。
【請求項６】
エレベータのかご下に設けられ、最下部がＵ字状に垂下され、かつ、前記エレベータのかごと共に上下動するテールコードに移動可能に取り付けられる円環状の据付工事用治具であって、
半円環状の一対のリング片と、
前記リング片の一端同士を回動可能に支持する軸部と、
一方の前記リング片の他端に設けられたロック爪と、
他方の前記リング片の他端に設けられ、前記ロック爪を係止する係止穴とを備え、
前記ロック爪と前記係止穴とが係止されたロック状態では、前記テールコードの外径よりも大きく、前記テールコードが遊動可能な空洞部を有する円環状に形成され、
前記円環状の外周部には、正面視で、半円の花びらが連続した花弁状凸部が形成され、かつ、側断面は、丸頭状に形成されていることを特徴とする据付工事用治具。
【請求項７】
前記エレベータのかごはエレベータ据付工事に使用される工事用ゴンドラであり、前記テールコードは当該工事用ゴンドラに電源を供給する電源ケーブルであることを特徴とする請求項１から６の何れか１項に記載の据付工事用治具。
【請求項８】
建屋のエレベータ据付工事に使用される工事用ゴンドラであって、
ロープによりつり下げられ、前記ロープの上下動に伴い、前記建屋に設置されたガイドレールに沿って上下動するゴンドラ本体と、
前記ゴンドラ本体の底部に設けられ、最下部がＵ字状に垂下され、かつ、前記ゴンドラ本体と共に上下動するテールコードに移動可能に取り付けられる請求項１から６の何れか1項に記載の据付工事用治具と、
前記ゴンドラ本体に設けられ、前記ロープの巻き上げを行って前記ゴンドラ本体を上下動させるウインチと、
を備えることを特徴とする工事用ゴンドラ。
【発明の詳細な説明】
【技術分野】
【０００１】
本発明の実施形態は、据付工事用治具及び工事用ゴンドラに関する。
【背景技術】
【０００２】
例えば、エレベータの据付工事に際しては、昇降路に工事用ゴンドラを設置し、この工事用ゴンドラに作業員が乗り込んで種々の用品を設置するようにしている。工事用ゴンドラに電源を供給する電源ケーブル（以下、「テールコード」という）がゴンドラの底部から垂下され、昇降路の途中に設けられた中継具を経由して、昇降路の底部等に設置された電源装置に接続される。テールコードには、ゴンドラ底部と中継具との間でＵ字状の最低部（Ｕ字部）が形成される。このＵ字部は、ゴンドラの上下動に伴って移動する。
【先行技術文献】
【特許文献】
【０００３】
【特許文献１】特開２００５−１６２３７２号公報
【発明の概要】
【発明が解決しようとする課題】
【０００４】
しかし、工事用ゴンドラの上下動に伴い、テールコードが上下動して揺れると、ガイドレールの支持材や昇降路内機器に引っ掛かる可能性がある。テールコードが引っ掛かったままで工事用ゴンドラを動作させるとテールコードを損傷、断線させるおそれがある。
【０００５】
上記事情に鑑み、本発明の実施形態は、エレベータのかご（工事用ゴンドラ）の移動に伴って移動するテールコードへの取付けが簡単にでき、損傷、断線を防止できる据付工事用治具及び工事用ゴンドラを提供することを目的としている。
【課題を解決するための手段】
【０００６】
上記目的を達成するための態様は、エレベータのかご（工事用ゴンドラ）下に設けられ、最下部がＵ字状に垂下され、かつ、前記エレベータのかご（工事用ゴンドラ）と共に上下動するテールコードに取り付けられる円環状の引っ掛かり防止リングであって、半円環状の一対のリング片と、前記リング片の一端同士を回動可能に支持する軸部と、一方のリング片の他端に設けられたロック爪と、他方のリング片の他端に設けられ、前記ロック爪を係止する係止穴とを備え、ロック爪と係止穴とが係止されたロック状態では、前記テールコードの外径よりも大きく、テールコードが遊動可能な空洞部を有する円環状に形成され、前記テールコードへの取付けに際しては、前記軸部を回動支点として他端を開口させて前記テールコードを前記空洞部に挿入させ、前記ロック爪と前記係止穴とを係止させてロック状態にする。
【０００７】
また、他の態様は、前記円環状の外周部には、正面視で、半円の花びらが連続した花弁状凸部が形成され、かつ、側断面は、丸頭状に形成されている。
【０００８】
さらに、他の態様は、建屋のエレベータ据付工事に使用される工事用ゴンドラであって、ロープによりつり下げられ、前記ロープの上下動に伴い、前記建屋に設置されたガイドレールに沿って上下動するゴンドラ本体と、前記ゴンドラ本体の底部に設けられ、最下部がＵ字状に垂下され、かつ、前記ゴンドラ本体と共に上下動するテールコードに移動可能に取り付けられる据付工事用治具と、前記ゴンドラ本体に設けられ、前記ロープの巻き上げを行って前記ゴンドラ本体を上下動させるウインチと、を備える。
【図面の簡単な説明】
【０００９】
【図１】据付工事用治具の実施形態であるテールコードの引っ掛かり防止リングが適用される工事用ゴンドラが設置された昇降路の全体構成図。
【図２】実施形態におけるテールコードの引っ掛かり防止リングの外観構成であり、ロック部分を閉じた状態を示す斜視図。
【図３】実施形態におけるテールコードの引っ掛かり防止リングの外観構成を示し、ロック部分を閉じた状態を示す斜視図。
【図４】図３に示すテールコードの引っ掛かり防止リングのＡ−Ａ線断面図。
【図５】実施形態におけるテールコードの引っ掛かり防止リングの外観構成であり、ロック部分を開いた状態を示す斜視図。
【図６】テールコードの引っ掛かり防止リングをテールコードに取り付ける作業を示す斜視図。
【図７】テールコードの引っ掛かり防止リングを複数個テールコードに取り付け状態を示す正面図。
【図８】テールコードの引っ掛かり防止リングを複数個テールコードに取り付け状態でゴンドラが上昇した場合の作用を説明する正面図。
【図９】テールコードの引っ掛かり防止リングの作用効果を説明する正面図。
【図１０】テールコードの引っ掛かり防止リングの作用効果を説明する正面図。
【図１１】工事用ゴンドラを使用したゴンドラ工法の作業手順を示すフローチャート。
【発明を実施するための形態】
【００１０】
＜第１実施形態＞
本実施形態では、エレベータかごとして工事用ゴンドラを例に説明する。
【００１１】
図１に示すように、エレベータの据付工事においては、昇降路２内に工事用ゴンドラ４を設置し、作業員が工事用ゴンドラ４に乗って工事を進めている。昇降路２には、一対のかご用のガイドレール６と、一対の釣り合い重り（Ｃ／Ｗ）用のガイドレール８が設置される。工事用ゴンドラ４はガイドレール６に沿って上下動する。工事用ゴンドラ４は、昇降路２の天井１０に設けられた天井フック１２にロープ１４を介して取り付けられている。また、工事用ゴンドラ４内には、制御盤１６とウインチ１８が設置されている。工事用ゴンドラ４は制御盤１６の制御下でウインチ１８の操作によって所望の位置への上下移動が可能である。制御盤１６及びウインチ１８への電源供給は、電源ケーブルとなるテールコード２０を介して行われる。
【００１２】
テールコード２０は、一端は工事用ゴンドラ４の底部から垂下され、他端は昇降路２の底部付近に設置された分電盤２２に接続され、通常は１本である。また、テールコード２０は、中継用の取付フック２４によって昇降路２の壁面に取り付けられている。このとき、テールコード２０は、取付フック２４から垂れ下がると共に他端側は工事用ゴンドラ２４底面から垂れ下がるため、テールコード２０には、底部となるＵ字部２６が形成される。このＵ字部２６は工事用ゴンドラ４の上下動に伴い、その位置も上下に移動するが、常にＵ字の形状は保たれる。このＵ字部２６付近はテールコード２０の上下動または屋外設置の場合では風の影響で揺れ動き、昇降路２に設置されているガイドレールの支持材や昇降路内機器（以下、「昇降路内設置機器」とも称する）に引っ掛かり、テールコード２０を損傷させる可能性がある。
【００１３】
本実施形態では、Ｕ字部２６に引っ掛かり防止リング３０（据付工事用治具）が取り付けられている。図２〜図５に示すように、引っ掛かり防止リング３０は、半円環状のリング片３０ａ，３０ｂの一端同士を回動可能に取り付けると共に、他端は開口可能に形成され、開口部３２が形成されている。図２、図３に示すように、開口部３２が閉じた状態では、引っ掛かり防止リング３０は円環状（リングドーナツ状）となる。
【００１４】
開口部３２の一方にはロック爪３４が形成され、開口部３２の他方にはロック爪３４が係合する係止穴３６と、この係止穴３６に連通する連通穴３７とが形成されている。引っ掛かり防止リング３０の開口部３２とは反対側には、軸部３８とこの軸部３８内に設けられたねじりばね４０とが設けられ、軸部３８を支点として回動可能に構成され、また、開口部３２の拡がりが規制されている。
【００１５】
引っ掛かり防止リング３０をテールコード２０に取り付けるに際しては、開口部３２を開口させて、円環状に形成された引っ掛かり防止リング３０の空洞部４２にテールコード２０を挿通させ、開口部３２を閉じて、ロック爪３４と係止穴３６とを係止させる（ロック状態）。これにより、引っ掛かり防止リング３０は、テールコード２０の任意の位置に移動可能に取り付けられる。テールコード２０は１本であるため、引っ掛かり防止リング３０は十分に余裕を持って任意の位置への移動が可能である。
【００１６】
図４は図３のＡ−Ａ線断面図である。図４に示すように、空洞部４２を形成する内周部４４は山形に盛り上がり、かつ、表面が滑らかな傾斜を持った形状を有している。これによって、空洞部４２に挿通されたテールコード２０との接触面積が低減され、摩擦力が軽減されるので、引っ掛かり防止リング３０の滑らかな動きが可能になる。
【００１７】
円環状に形成された引っ掛かり防止リング３０の外周部４６は、正面視で、半円が連続した花びら状に形成されている。実施形態の引っ掛かり防止リング３０の外周部４６は９個の半円が連続し、正面視では９個の花弁が存在するように花弁状凸部４８となっている。また、図４の断面図に示すように、外周部４６の断面は、山形に盛り上がった丸頭状に形成されている。さらに、９個の花弁状部分の側面部分には、それぞれ矩形状または円形状に窪んだ凹部５０が形成されている。
【００１８】
また、この引っ掛かりリング３０の側面部５２は、外周部４６から内周部４４側に行くに連れて皿底状に凹んだ形状を呈している。
【００１９】
図４に示すように、本実施形態では、引っ掛かり防止リング３０の最大厚み幅（花弁状凸部４８の幅）Ｌ１は２９〜３２ｍｍ程度である。また、一方の凹部５０と他方の凹部５０との厚み幅Ｌ２は２０〜２５ｍｍ程度、内周部４４の厚み幅Ｌ３は２３〜２６ｍｍ程度に形成されている。また、その関係は、Ｌ１＞Ｌ３＞Ｌ２となっている。また、円環の直径は１００〜１２０ｍｍ程度、空洞部４２の径は、テールコード２０のコード径よりも十分に大きく、テールコード２０に取り付けた際に滑らかに移動ができるような寸法、例えば４０〜６０ｍｍ程度に形成されている。
【００２０】
引っ掛かり防止リング３０は、１枚ではなく、複数枚（４〜８枚程度）を重ねて使用される。複数枚の引っ掛かり防止リング３０を重ねた場合、花弁状凸部４８同士が接触するので、面同士で接触する場合と比較して摩擦抵抗を低減でき、その結果、テールコード２０の揺れに伴い、テールコード２０内において、障害なく滑らかな移動が可能になる。
【００２１】
次に、本実施形態の動作を図６〜図１１を用いて説明する。
【００２２】
はじめに、ゴンドラ工法の作業手順を図１１のフローチャートを用いて説明する。
【００２３】
図１１に示すように、ステップＳ２の着工準備及び着工工程からステップＳ４のゴンドラ組立て工程では、揚重機器の設置及び機器の揚重をした後、ゴンドラ用吊元となる天井フック１２を設置する。なお、必要に応じて天井フック１２に代えてビームを設置する。次いで、ステップＳ４において、工事用ゴンドラ４を組立てる。工事用ゴンドラ４の試運転が完了すると、最初に、本線レール側ブラケットの取付け及びレール立ての芯だし作業を行う。次いで、三方枠の取付け、巻上機の取付け、制御盤の取付け、テールコード２０の架設、昇降路内配線を実行する。カウンタウエイト枠を揚重し、ウエイトを積込む（ステップＳ１８）。次いで、かご枠組立て（ステップＳ２０）、かご室組立て（ステップＳ２２）及び試運転調整（ステップＳ２４）を経た後、工事用ゴンドラ４を解体して作業が終了する（ステップＳ２６）。
【００２４】
上述のようなゴンドラ工法の作業中では、工事用ゴンドラ４の上下動が頻繁に行われる。その際、昇降路内設置機器にテールコード２０が引っ掛かる可能性があるため、テールコード２０に引っ掛かり防止リング３０を取り付ける。
【００２５】
図６に示すように、開口部３２を開きテールコード２０を通し、開口部３２を閉じてロック爪３４を係止穴３６に挿通させてロックする。この引っ掛かり防止リング３０は図７に示すように、４〜８個程度取り付けるとよい。Ｕ字部２６の長さを十分カバーするには、１〜２個では足りず、重量も不足する。４〜８個取り付けられていると、テールコード２０自体の揺れを抑制することができ、昇降路内設置機器への引っ掛かりが十分に防止できる。このとき、図７に示すように、隣り合う引っ掛かり防止リング３０の側面同士は、面接触ではなく、主に花弁状凸部４８同士の点接触となるので、隣接する引っ掛かり防止リング３０同士の接触摩擦が低減され、テールコード２０内での滑らかな移動が可能になる。このため、引っ掛かり防止リング３０を常にＵ字部２６に配置させることができる。
【００２６】
この状態で、図８に示すように、工事用ゴンドラ４がＧ１方向へ上昇していくと、工事用ゴンドラ４の上昇に伴い、テールコード２０もＣ１，Ｃ２方向に移動していき、Ｕ字部２６もその位置が変動していく。このとき、引っ掛かり防止リング３０はテールコード２０の底部であるＵ字部２６に留まるように移動する。このため、引っ掛かり防止リング３０は常にＵ字部２６に留まるので、テールコード２０の揺れを抑制できる。
【００２７】
図９は工事用ゴンドラ４がＧ１方向に上昇し、これに伴いテールコード２０が矢印Ｃ１，Ｃ２方向に上方移動した際に、昇降路内設置機器５４にテールコード２０が引っ掛かりそうなった場合をゴンドラ側から昇降路方向に見た図である。工事用ゴンドラ４が矢印Ｇ１方向に上昇すると、先ず引っ掛かり防止リング３０の外縁部分（花弁状凸部４８）が昇降路内設置機器５４に当接する。すると、図９に示すように、当接した外縁部分を支点として、引っ掛かり防止リング３０が回転（図中矢印Ｒ１で示す時計回り）して外方に逃げる動作をする。図１０に示すように、工事用ゴンドラ４がＧ２方向にさらに上昇していくと、テールコード２０もＣ３方向に揺れていくが、工事用ゴンドラ４は昇降路内設置機器５４よりも昇降路２の内側につり下げられているので、引っ掛かり防止リング３０は、弾き出される方向に回転しようとする。引っ掛かり防止リング３０は複数個設けられているので、隣り合う引っ掛かり防止リング３０も同じ方向に回転する。これにより、テールコード２０は昇降路内設置機器５４の外側（Ｒ２方向、Ｒ３方向）に弾き出され、昇降路内設置機器５４への引っ掛かりが防止される。
【００２８】
工事終了後は、係止穴３６が連通する連通穴３７に作業員が指を差し込み、ロック爪３４を係止穴３６から外すことでロックを解除し、ロック解除によって形成された開口部３２からテールコード２０を抜いて引っ掛かり防止リング３０を取り外す。このように、引っ掛かり防止リング３０は、特殊な工具等を使用することなく、手動で着脱できるので、着脱作業が簡素化できる。
【００２９】
このように、本実施形態によれば、テールコード２０が昇降路内設置機器５４に引っ掛かることを効果的に防止することができる。これにより、昇降路内設置機器５４の破損が防止でき、また、テールコード２０の損傷、断線を防止することができる。
【００３０】
また、引っ掛かり防止リング３０に開口部３２を設けることで、テールコード２０のどの位置からも着脱が容易になる。また、テールコード２０を工事用ゴンドラ４と昇降路２側の取付フック２４とに固定した後であっても取り付けることができる。その結果、工事用ゴンドラ４を使用した据付工事の作業性が向上する。さらに、テールコード２０への着脱が可能になることで、次の工事においても繰り返し、再使用することができ、コスト削減が可能になる。また、引っ掛かり防止リング３０は、樹脂で形成されることから、単体の重量は小さくなり、持ち運びも楽になり、製作も容易となる。また、ねじりばね４０によって開口部３２が拡がり過ぎないように規制することができる。また、引っ掛かり防止リング３０の側面には、矩形状に窪んだ凹部５０が形成されているので、凹部５０に指を入れることができ、着脱作業時に持ちやすくなり、軽量化も達成できる。
【００３１】
なお、引っ掛かり防止リング３０は、白色や黄色、あるいは蛍光色等の目立つ色や蓄光材を含んだ材料で構成されていれば、暗い場所での作業においても視認性が向上する。また、本実施形態では、工事用ゴンドラ４の電源ケーブルに引っ掛かり防止リング３０を取り付ける構成について説明したが、電源ケーブル以外にも使用することが可能である。さらに、通常使用されるエレベータかごのテールコード２０に引っ掛かり防止リング３０を取り付けるようにしてもよい。
【００３２】
以上、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００３３】
２…昇降路、４…工事用ゴンドラ、１４…ロープ、１６…制御盤、１８…ウインチ、２０…テールコード、２２…分電盤、２４…中継用の取付フック、２６…Ｕ字部、３０…引っ掛かり防止リング（据付工事用治具）、３０ａ，３０ｂ…リング片、３２…開口部、３４…ロック爪、３６…係止穴、３７…連通穴、３８…軸部、４０…ねじりばね、４２…空洞部、４４…内周部、４６…外周部、４８…花弁状凸部、５０…凹部、５２…側面部、５４…昇降路内設置機器。
【図１】
2018140848.tif 000003
【図２】
2018140848.tif 000004
【図３】
2018140848.tif 000005
【図４】
2018140848.tif 000006
【図５】
2018140848.tif 000007
【図６】
2018140848.tif 000008
【図７】
2018140848.tif 000009
【図８】
2018140848.tif 000010
【図９】
2018140848.tif 000011
【図１０】
2018140848.tif 000012
【図１１】
2018140848.tif 000013
【手続補正書】
【提出日】平成30年3月16日(2018.3.16)
【手続補正１】
【補正対象書類名】特許請求の範囲
【補正対象項目名】全文
【補正方法】変更
【補正の内容】
【特許請求の範囲】
【請求項１】
エレベータのかご下に設けられ、最下部がＵ字状に垂下され、かつ、前記エレベータのかごと共に上下動するテールコードに移動可能に取り付けられる円環状の据付工事用治具であって、
半円環状の一対のリング片と、
前記リング片の一端同士を回動可能に支持する軸部と、
一方の前記リング片の他端に設けられたロック爪と、
他方の前記リング片の他端に設けられ、前記ロック爪を係止する係止穴とを備え、
前記円環状の外周部には、正面視で、半円の花びらが連続した花弁状凸部が形成され、かつ、側断面は、丸頭状に形成され、
前記ロック爪と前記係止穴とが係止されたロック状態では、前記テールコードの外径よりも大きく、前記テールコードが遊動可能な空洞部を有する円環状に形成され、
前記テールコードへの取付けに際しては、前記軸部を回動支点として他端を開口させて前記テールコードを前記空洞部に挿入させ、前記ロック爪と前記係止穴とを係止させてロック状態にすることを特徴とする据付工事用治具。
【請求項２】
前記テールコードが挿入され、前記空洞部を構成する内周部の断面は、滑らかな傾斜を持つ山形に形成されていることを特徴とする請求項１に記載の据付工事用治具。
【請求項３】
前記花弁状凸部の前記外周部から前記内周部に至る面には、凹部が形成されていることを特徴とする請求項２に記載の据付工事用治具。
【請求項４】
前記外周部から前記内周部に至る面は、前記外周部から内周部にいくに連れて皿底状に傾斜する形状を有することを特徴とする請求項３に記載の据付工事用治具。
【請求項５】
エレベータのかご下に設けられ、最下部がＵ字状に垂下され、かつ、前記エレベータのかごと共に上下動するテールコードに移動可能に取り付けられる円環状の据付工事用治具であって、
半円環状の一対のリング片と、
前記リング片の一端同士を回動可能に支持する軸部と、
一方の前記リング片の他端に設けられたロック爪と、
他方の前記リング片の他端に設けられ、前記ロック爪を係止する係止穴とを備え、
前記ロック爪と前記係止穴とが係止されたロック状態では、前記テールコードの外径よりも大きく、前記テールコードが遊動可能な空洞部を有する円環状に形成され、
前記円環状の外周部には、正面視で、半円の花びらが連続した花弁状凸部が形成され、かつ、側断面は、丸頭状に形成されていることを特徴とする据付工事用治具。
【請求項６】
前記エレベータのかごはエレベータ据付工事に使用される工事用ゴンドラであり、前記テールコードは当該工事用ゴンドラに電源を供給する電源ケーブルであることを特徴とする請求項１から５の何れか１項に記載の据付工事用治具。